(57)【特許請求の範囲】
【請求項１】
電柱間にメッセンジャーワイヤを架設した箇所に、地上からケーブルを当該電柱間に延線する工法において、
一端がラッパ状に開口した筒体にこれを吊るす係止具を設け、前記筒体の外周に支持ベルトの一端を取付け、当該支持ベルトにコイル状ハンガを取付け、当該コイル状ハンガは、コイル状ハンガの伸びを一定長に規制するように外周一側の複数箇所で、それぞれ弛みを持たせた支持ベルトに固定し、
この支持ベルトの他端を地上に設置したドラム架台のフレームに接続し、前記係止具を前記メッセンジャーワイヤに引っ掛けて係止し、地上側で前記支持ベルトの長さを調整し、
前記メッセンジャーワイヤ箇所からリードワイヤを前記筒体のラッパ状の開口部から挿入し、コイル状ハンガ内を通してドラム箇所まで引き下げ、そこで、ドラムに巻き付けたケーブルの一端と接続し、柱上側から前記リードワイヤ及びこれに続くケーブルを引張り、メッセンジャーワイヤに沿ってケーブルを延線することを特徴とする、ケーブル延線工法。
【請求項２】
前記ドラム架台のフレームに支持したベルト長さ調節器を設け、当該ベルト長さ調節器に前記支持ベルトの他端を通して、当該支持ベルトの長さを前記ベルト長さ調節器により調整することを特徴とする、請求項１に記載のケーブル延線工法。
【請求項３】
一端がラッパ状に開口した筒体を設け、この筒体の外周に、筒体の外周にほぼ沿って折れ曲がった取付け金具を固定して設け、
当該取付け金具に、前記筒体を吊るす係止具を設け、前記取付け金具の端部に支持ベルトの一端を取付け、
また、前記取付け金具にコイル状ハンガの一端を取付け、当該コイル状ハンガは、コイル状ハンガの伸びを一定長に規制するように外周一側の複数箇所で、それぞれ弛みを持たせた前記支持ベルトに固定したことを特徴とする、延線工具。
【請求項４】
前記支持ベルトの他端に、当該支持ベルトの長さを調整して固定する、ベルト長さ調節器を設け、当該調節器はドラム架台のフレームに固定する手段を設けたことを特徴とする、請求項３に記載の延線工具。
【請求項５】
前記筒体は、多数のリングを折り曲げ自在に接続した構成であることを特徴とする、請求項３又は４に記載の延線工具。
【発明の詳細な説明】
【技術分野】
【０００１】
この発明は、主に幹線ケーブルから分岐して各通信需要家へ引き込むケーブル、電力ケーブル、その他のケーブルの延線工法及び延線工具に関するものである。
【背景技術】
【０００２】
従来、情報通信ネットワークの構築手段として光ケーブルがデータセンター等から各通信需要家に接続される。具体的には、特許文献１に示すように、幹線の光ケーブルから分岐して、各通信需要家への引き込みにはドロップケーブルが用いられている。
【０００３】
この幹線の光ケーブルは柱上に架設されており、この架設された光ケーブルの接続箇所から通信需要家である家庭の脇までメッセンジャーワイヤにらせん状ハンガ等を介して吊り下げられるドロップケーブルを延線する工事が行われている。
【０００４】
この延線工事は、図１６に示すように、電柱付近の地上にドラム１００を設置し、柱上１０１からリードワイヤを地上に下ろし、当該リードワイヤの先端を、ドラム１００に巻き付けてあるドロップケーブル１０２の先端と接続し、柱上１０１からこのリードワイヤ及びこれに続くドロップケーブル１０２を引き上げる。そして、各電柱間に予め架設されたメッセンジャーワイヤ１０３に設けたらせん状ハンガ１０４内を通して、当該ドロップケーブル１０２を所定箇所まで延線する。そして、通信需要家１０５に引き込む。また、他端は幹線と接続する。
【０００５】
【特許文献１】特開２０１０−８７７１号公報
【発明の開示】
【発明が解決しようとする課題】
【０００６】
しかしながら、この工事においては、ドロップケーブル１０２がドラム１００からいったん引き出されると、柱上１０１側でケーブルの引き出しを緩めても、ドラム１００の回転慣性でドロップケーブルがそのままドラム１００から出て行ってしまう（バックラッシュ）。また、ドロップケーブル１０２がドラム１００と電柱の間でバタつく。また、ドロップケーブル１０２が垂れ下がり、歩行者、車両に引っかかり公衆災害に発展するおそれがある。また、工事は住宅街の場合が多く、ドロップケーブル１０２の立ち上げ箇所は樹木や、軒先、その他の障害物がある箇所もあり、前記リードワイヤやドロップケーブル１０２がこれらに引っかかる恐れもある。
【０００７】
従って、作業員１０６を各電柱の柱上１０１及び地上のドラム１００箇所にも夫々複数人を配置しなければならず、また、障害物を避けた場所で行わなければならず、手間や人員も多く必要とし、工事が迅速に行えず、コスト高となっている。
【０００８】
そこで、この発明は、これらの従来技術に鑑み、上述の工事やその他のケーブル延線工事が安全でスムーズに行え、作業員の数も少なくて済み、コストを低減できるケーブル延線工法及びその延線工具を提供することを目的としたものである。
【課題を解決するための手段】
【０００９】
請求項１の発明は、電柱間にメッセンジャーワイヤを架設した箇所に、地上からケーブルを当該電柱間に延線する工法において、一端がラッパ状に開口した筒体にこれを吊るす係止具を設け、前記筒体の外周に支持ベルトの一端を取付け、当該支持ベルトにコイル状ハンガを取付け、当該コイル状ハンガは、コイル状ハンガの伸びを一定長に規制するように外周一側の複数箇所で、それぞれ弛みを持たせた支持ベルトに固定し、この支持ベルトの他端を地上に設置したドラム架台のフレームに接続し、前記係止具を前記メッセンジャーワイヤに引っ掛けて係止し、地上側で前記支持ベルトの長さを調整し、前記メッセンジャーワイヤ箇所からリードワイヤを前記筒体のラッパ状の開口部から挿入し、コイル状ハンガ内を通してドラム箇所まで引き下げ、そこで、ドラムに巻き付けたケーブルの一端と接続し、柱上側から前記リードワイヤ及びこれに続くケーブルを引張り、メッセンジャーワイヤに沿ってケーブルを延線する工法とした。
【００１０】
また、請求項２の発明は、請求項１の発明において、前記ドラム架台のフレームに支持したベルト長さ調節器を設け、当該ベルト長さ調節器に前記支持ベルトの他端を通して、当該支持ベルトの長さを前記ベルト長さ調節器によって調整するケーブル延線工法とした。
【００１１】
また、請求項３の発明は、一端がラッパ状に開口した筒体を設け、この筒体の外周に、筒体の外周にほぼ沿って折れ曲がった取付け金具を固定して設け、当該取付け金具に、前記筒体を吊るす係止具を設け、前記取付け金具の端部に支持ベルトの一端を取付け、また、前記取付け金具にコイル状ハンガの一端を取付け、当該コイル状ハンガは、コイル状ハンガの伸びを一定長に規制するように外周一側の複数箇所で、それぞれ弛みを持たせた前記支持ベルトに固定した、延線工具とした。
【００１２】
また、請求項４の発明は、前記支持ベルトの他端に、当該支持ベルトの長さを調整して固定する、ベルト長さ調節器を設け、当該調節器はドラム架台のフレームに固定する手段を設けた、請求項３に記載の延線工具とした。
【００１３】
また、請求項５の発明は、前記筒体は、多数のリングを折り曲げ自在に接続した構成である、請求項３又は４に記載の延線工具とした。
【発明の効果】
【００１４】
請求項１の発明及び請求項３の発明を用いた延線工法では、メッセンジャーワイヤからドラムまでの間にコイル状ハンガを設け、このコイル状ハンガ内を延線するケーブルを通すため、コイル状ハンガにより内部を通るケーブルを保護するとともに、コイル状ハンガ内でケーブルの動きが適度に規制されてケーブルに弛みを与えず、スムーズに延線が可能である。従って、メッセンジャーワイヤ側でケーブルの引き出しを緩めても、大きく弛むことはない。また、延線中、ドラムと電柱との間でケーブルがバタつくことがない。さらに、ケーブルが垂れ下がり、歩行者や車両を引っ掛ける恐れがない。
【００１５】
またコイル状ハンガは、外周一側の複数個所で支持ベルトに固定され、かつ各固定箇所の間の支持ベルトは弛みをもっているため、コイル状ハンガは一定長まで伸びるが、それ以上は伸びない。従って、コイル状ハンガの内径もそれ以上小さくならず、常に空間が確保される。また、コイル状ハンガは軽量で、自由に折れ曲り、設置が容易である。
【００１６】
また、コイル状ハンガは一定長までしか伸びず、各コイルの間隔が規制されるため、外周から内部への侵入が難しく、特に、ドラムからメッセンジャーワイヤまでケーブルを引き上げる箇所に樹木等がある場合であっても、コイル状ハンガに保護され、ケーブルはコイル状ハンガ内を通過し、スムーズな延線が可能である。また、前記筒体の一端はラッパ状に開口しているため、リード線を挿入する際ガイドとなり、また、ケーブルに損傷を与えず、延線が可能である。
【００１７】
従って、この工法では、ケーブルの延線が始まると、ドラム架台付近に作業員を配置する必要がなく、作業員の員数を減らすことができる。この様に安全な工法であると共にコスト削減が可能である。
【００１８】
また、請求項２及び４の発明では、ベルト長さ調節器をドラム架台のフレームに支持して固定しているため、フックで筒体をメッセンジャーワイヤに吊り下げた後、支持ワイヤの一端は筒体、他端はドラム架台に取り付けた状態で、支持ベルトの長さを容易に調整できる。
【００１９】
また、請求項５発明では、筒体が多数のリングを折り曲げ自在に接続した構成のため、筒体を大きく曲げることができ、この延線工具をメッセンジャーワイヤからＵターンしてドラムに至るようにドラム架台を設置することもでき、ドラムの設置場所を選ぶ自由度が増す。
【発明を実施するための最良の形態】
【００２０】
この発明は、電柱間にメッセンジャーワイヤを架設した箇所に、地上からケーブルを当該電柱間に延線する工法において、一端がラッパ状に開口した筒体にこれを吊るす、係止具たるフックを設け、前記筒体の外周に支持ベルトの一端を取付け、当該支持ベルトにコイル状ハンガを取付け、当該コイル状ハンガは、コイル状ハンガの伸びを一定長に規制するように外周一側の複数箇所で、それぞれ弛みを持たせた支持ベルトに固定し、この支持ベルトの他端を地上に設置したドラム架台のフレームに接続し、前記フックを前記メッセンジャーワイヤに引っ掛けて係止し、地上側で前記支持ベルトの長さを調整し、前記メッセンジャーワイヤ箇所からリードワイヤを前記筒体のラッパ状の開口部から挿入し、コイル状ハンガ内を通してドラム箇所まで引き下げ、そこで、ドラムに巻き付けたケーブルの一端と接続し、柱上側から前記リードワイヤ及びこれに続くケーブルを引張り、メッセンジャーワイヤに沿ってケーブルを延線する工法とした。
【００２１】
これにより、メッセンジャーワイヤからドラムまでの間にコイル状ハンガを設け、このコイル状ハンガ内を延線するケーブルを通すため、コイル状ハンガにより内部を通るケーブルを保護するとともに、ケーブルに弛みを与えず、スムーズな延線が可能である。
【実施例１】
【００２２】
以下、この発明の実施例１を図に基づいて説明する。図１はこの発明のケーブルの延線工法を示す概略構成図、図２はこの発明の延線工具の主要部材を示す正面図、図３はこの発明の延線工具の一部であるコイル状ハンガ及び支持ベルトの接続、固定状態を示す正面図である。
【００２３】
まず、この発明の延線工法に使用する沿線工具Ａの概要を図２に基づいて説明する。一端がラッパ状に開口した筒体１の外周一側に、取付け金具２がバンド３により取付け、固定されている。また、取付け金具２の背びれ板４に、前記メッセンジャーワイヤへの係止具であるフック５が接続されている。
【００２４】
また、前記取付け金具２は、前記筒体１の、前記ラッパ状の開口部とは反対側の開口端から、筒体１の軸方向に突出しており、その突出端部に支持ベルト６の一端が固定されている。また、前記取付け金具２の前記背びれ板４に、コイル状ハンガ７の一端が固定され、当該コイル状ハンガ７は前記筒体１及び取付け金具２を囲んでおり、かつ前記支持ベルト６を中に通している。
【００２５】
そして、コイル状ハンガ７は図３に示すように、隣接する各コイルの外周一側で支持ベルト６に固定されており、各固定箇所の間の支持ベルト６は一定長の弛みを持っている。これにより、当該支持ベルト６はコイル状ハンガ７の伸びを一定長に規制する伸び防止ベルトの役目を有する。図３の（ａ）は支持ベルト６に張力をかけていない状態における支持ベルト６の固定状態を示し、図３の（ｂ）は、支持ベルト６の伸長により、コイル状ハンガ７が伸びた状態を示す。
【００２６】
次にこの延線工具Ａを用いてドロップケーブルＢの延線工法を、図１に基づいて説明する。まず、前記支持ベルト６の他端をドラム架台８のフレーム８ａに固定する。そして、前記フック５を電柱９の上から作業者等が引き上げ、メッセンジャーワイヤ１０に引っ掛け、当該フック５をメッセンジャーワイヤ１０に係止する。
【００２７】
これにより、フック５に筒体１が吊り下げられ、当該筒体１に一端を接続された支持ベルト６が前記ドラム架台8まで降下し、この支持ベルト６に支持されてコイル状ハンガ７が斜めに伸び、図１の状態と成る。そこで、電柱９の上から作業者がリードワイヤ（図示省略）を筒体１のラッパ状の開口部から筒体１内に挿入して筒体１内に繰り出す。これによりリードワイヤの先端はコイル状ハンガ７内を通ってドラム架台８の箇所に出てくる。
【００２８】
そこで、ドラム架台８のリール８ｂに巻かれたドロップケーブルＢの一端を引き出してリードワイヤの先端と接続し、電柱９上のメッセンジャーワイヤ１０側からリードワイヤを引っ張り、これに続くドロップケーブルＢをドラム８から引き出し、延線する。
【００２９】
ドラム架台８のリール８ｂから出たドロップケーブルＢは、コイル状ハンガ７内を通り、筒体１内を通ってメッセンジャーワイヤ１０に予め吊り下げられたらせん状ハンガ１１内に挿通され、目的箇所まで延線される。
【００３０】
以下、前記延線工具Ａを構成する部材について説明する。図４及び図５は、前記筒体１の正面図及び同側面図である。
【００３１】
筒体１は一端がラッパ状に開口したベルマウスであり、他端の外周側には、外周に沿って適宜間隔で突起爪１２が設けてある。
【００３２】
図６〜図８は夫々前記取付け金具２の正面図、平面図及び側面図である。当該取付け金具２は、前記筒体１の外周縁にほぼ沿って折り曲げられた基板１３の上に、前記背びれ板４を立設したものである。この背びれ板４の前端下部には、前記バンド３を挿通するバンド孔１４を有している。
【００３３】
また、背びれ板４には、多数の小孔１５が設けられ、これらの小孔１５に前記フック５の端部やコイル状ハンガ７を挿入自在となっている。また、前記基板１３の端部には、前記支持ベルト６の一端を係止する孔１６が設けられている。
【００３４】
次に、図９〜図１１は、夫々前記フック５の正面図、平面図、及び当該フック５の接続金具の側面図である。
【００３５】
当該フック５は、細長の二本の支持棒１７がスペーサ１８により間隔を空けて設けられ、当該二本の支持棒１７の間に略鉤型のフック本体１９が軸２０により回転自在に設けられている。また、前記支持棒１７の一端には操作環２１が取付けられている。さらに、前記支持棒１７とフック本体１９との間にバネ２２が設けられ、このバネ２２により、フック本体１９の先端は二本の支持棒１７の間に入るように、つまり閉じるように付勢されている。
【００３６】
また、前記フック本体１９の下端には接続金具２３が設けられ、この接続金具２３の下にスナップフック２４が回転自在に設けられている。このスナップフック２４を前記取付け金具２の背びれ板４の小孔１５に通して取付け金具２とフック５は接続される。
【００３７】
また、前記フック本体１９の形状、大きさは前記メッセンジャーワイヤ１０に掛けられたらせん状ハンガ１１の上から掛けられる形状、大きさとなっている。また、当該フック本体１９の外周にはゴムライニングが施され、また、前記2本の支持棒１７の、フック本体１９に対向する箇所は熱収縮チューブが被覆されている。
【００３８】
また、当該延線工具Ａを地上から操作棒（図示省略）で、前記メッセンジャーワイヤ１０に吊るす場合、当該フック５の操作環２１に操作棒の先端を引っ掛けて、これを押し上げると、フック本体１９は、筒体１、取付け金具２、コイル状ハンガ７等の自重で前記バネ２２の力に抗して下がり、フック本体１９は、支持棒１７に対して開いた状態となり、この状態でメッセンジャーワイヤ１０にフック５を引っ掛けることができる。
【００３９】
そこで、操作棒を下方に引き、操作環２１から外すと、バネ２２の力で、操作棒１７が軸２０を中心に回転し、フック本体１９の先端が閉じる。従って、フック５はメッセンジャーワイヤ１０からむやみに外れない。
【００４０】
図１２は、ドラム架台８で支持ベルト６の他端を支持している状態の斜視図である。図１２に示すように、ドラム架台８のフレーム８ａの両側に夫々固定金具２５を取り付け、これらの固定金具２５間に張った固定ロープ２６にベルト長さ調節器２７を設け、当該ベルト長さ調節器２７に前記支持ベルト６の他端を通し、当該ベルト長さ調節器２７により支持ベルト６の長さを調整自在となっている。
【００４１】
また、従来、ドロップケーブルＢの延線に当たっては、ドラム架台８を電柱９付近に設置して、電柱９箇所のメッセンジャーワイヤ１０にドロップケーブルＢを立ち上げていたが、この発明の延線工法を用いれば、図１３に示すように、住宅、マンション等の出入口があり、住民や車両の出入りを確保しなければならず、このような場合には、電柱９付近ではなく、電柱９から離れた箇所のメッセンジャーワイヤ１０の下方に、ドラム架台８を設置して、当該箇所の上方のメッセンジャーワイヤ１０に前記フックを引っ掛けて延線する工法が適している。
【００４２】
また、ドロップケーブルＢのドラム架台８が延線方向と反対側に設置することができない場合には、上記実施例１の筒体１に代えて、リング式ジョイントプロテクタのように、多数のリングを折り曲げ自在に接続した構成の筒体１´とすることもできる。この筒体１´は、図１４に示すように、多数のリング２８を繋ぎ合わせて、各リング２８が隣接するリング２８に対して折り曲げ自在となっており、直線状でも、略Ｕ字型にも折り曲げることができる。
【００４３】
例えば、ホームセンターや工場のような幅広い出入口、路地の角地、樹木が民地から出ている場合など、延線方向と反対側にドラム場を設けることができない場合、図１５に示すように、略Ｕ字型に折り曲げた筒対1´を使用することにより、メッセンジャーワイヤ１０から筒体１´を通して折り返してドラム架台８にコイル状ハンガ７を張り、ドロップケーブルＢを延線することができるので、図１３の場合と同様、電柱を使用することなく、ドラム架台８の設置場所を自由に選定することができる。なお、他の延線工具Ａは実施例１と同じものを使用する。
【００４４】
なお、上記実施例ではドロップケーブルＢの延線について説明したが、この発明の工法及び工具は、広く通信ケーブル、電力ケーブル、その他のケーブルの延線に使用できるものである。
【００４５】
また、この発明の延線工法に使用する工具は、前記実施例の工具に限るものではない。
【図面の簡単な説明】
【００４６】
【図１】この発明の実施例１の延線工法を示す概略構成図である。
【図２】この発明の実施例１の延線工具の主要部材を示す正面図である。
【図３】この発明の実施例１の延線工具のコイル状ハンガ及び支持ベルトの接続、固定状態を示す正面図である。
【図４】この発明の実施例１の延線工具の筒体の正面図である。
【図５】この発明の実施例１の延線工具の筒体の側面図である。
【図６】この発明の実施例１の延線工具の取付け金具の正面図である。
【図７】この発明の実施例１の延線工具の取付け金具の平面図である。
【図８】この発明の実施例１の延線工具の取付け金具の側面図である。
【図９】この発明の実施例１の延線工具のフックの正面図である。
【図１０】この発明の実施例１の延線工具のフックの平面図である。
【図１１】この発明の実施例１の延線工具のフックの接続金具の側面図である。
【図１２】この発明の実施例１の延線工具のベルト長さ調節器の使用状態を示す斜視図である。
【図１３】この発明の実施例１の他の延線工法を示す概略構成図である。
【図１４】この発明の他の実施例の延線工具の筒体を示す正面図である。
【図１５】この発明の他の実施例の延線工法を示す概略構成図である。
【図１６】従来のドロップケーブルの延線工法を示す概略構成図である。
【符号の説明】
【００４７】
Ａ      延線工具                    Ｂ    ドロップケーブル
１      筒体                        ２      取付け金具
３      バンド                      ４      背びれ板
５      フック                      ６      支持ベルト
７      コイル状ハンガ              ８      ドラム架台
８ａ    フレーム                    ８ｂ    リール
９      電柱                        １０    メッセンジャーワイヤ
１１    らせん状ハンガ              １２    突起爪
１３    基板                        １４    バンド孔  
１５    小孔                        １６    孔
１７    操作棒                      １８    スペーサ
１９    フック本体                  ２０    軸
２１    操作環                      ２２    バネ
２３    接続金具                    ２４    スナップフック
２５    固定金具                    ２６    固定ロープ
２７    ベルト長さ調節器            １´    筒体
２８    リング
【図１】
0005793403.tif 000002
【図２】
0005793403.tif 000003
【図３】
0005793403.tif 000004
【図４】
0005793403.tif 000005
【図５】
0005793403.tif 000006
【図６】
0005793403.tif 000007
【図７】
0005793403.tif 000008
【図８】
0005793403.tif 000009
【図９】
0005793403.tif 000010
【図１０】
0005793403.tif 000011
【図１１】
0005793403.tif 000012
【図１２】
0005793403.tif 000013
【図１３】
0005793403.tif 000014
【図１４】
0005793403.tif 000015
【図１５】
0005793403.tif 000016
【図１６】
0005793403.tif 000017